(57)【要約】【課題】入力信号がデジタルかアナログかを意識することなく、簡易にそれぞれの入力レベルを設定する。【解決手段】デジタル信号およびアナログ信号の両方が入力可能なオーディオディスクレコーダ１０は、デジタル信号を取り扱うデジタルモードと、アナログ信号を取り扱うアナログモードと、を切り替えるモード切替スイッチ１８を有する。入力レベルの設定の際には、ジョグダイヤル２２の回転量および回転方向に応じて、選択されているモードに対応した入力レベル９７Ｄ，９７Ａの値を増減する。つまり、アナログ入力レベルとデジタル入力レベルとをほぼ同様の操作で設定できる。設定状況は、表示部２４に表示される。【選択図】図２
2006128778.tif 000002
【特許請求の範囲】
【請求項１】
デジタル信号およびアナログ信号の両方が入力可能なオーディオ信号処理装置であって、
デジタル信号の入力レベルを設定するデジタル設定モードと、アナログ信号の入力レベルを設定するアナログ設定モードと、を切り替えるモード切替手段と、
ユーザが操作した操作量に応じた値を出力する操作子と、
操作子からの出力に応じて、選択されているモードに対応した入力レベルを設定する入力レベル設定手段と、
選択されているモードに対応する入力レベルの設定画面を表示する表示手段と、
を有することを特徴とするオーディオ信号処理装置。
【請求項２】
請求項１に記載のオーディオ信号処理装置であって、
アナログ入力レベルの設定可能範囲とデジタル入力レベルの設定可能範囲は、互いに異なることを特徴とするオーディオ信号処理装置。
【請求項３】
請求項２に記載のオーディオ信号処理装置であって、
デジタル入力レベルの設定可能範囲およびアナログ入力レベルの設定可能範囲のそれぞれに対応する操作子の操作量は、ほぼ同じであることを特徴とするオーディオ信号処理装置。
【請求項４】
請求項３に記載のオーディオ信号処理装置であって、
表示手段は、入力レベルの設定状況を示すインジケータを表示し、
インジケータは、アナログモードおよびデジタルモードのいずれの場合でも同じ大きさとなるように、選択されているモードに対応する設定可能範囲に応じて目盛りが調整されていることを特徴とするオーディオ信号処理装置。
【請求項５】
請求項１から４のいずれか１項に記載のオーディオ信号処理装置であって、
操作子は、ユーザが操作した操作量に応じた値をデジタル値で出力することを特徴とするオーディオ信号処理装置。
【請求項６】
請求項５に記載のオーディオ信号処理装置であって、さらに、
外部から入力されたアナログ信号を、設定された入力レベルに応じて増幅するアナログ信号増幅手段を有し、
アナログ信号増幅手段は、デジタル値で与えられる増幅率に基づいて、アナログ信号を増幅するデジタル制御アナログ増幅装置であることを特徴とするオーディオ信号処理装置。
【発明の詳細な説明】
【技術分野】
【０００１】
本発明は、オーディオ信号処理装置に係り、特に、デジタル信号およびアナログ信号の両方が入力可能なオーディオ信号処理装置に関する。
【背景技術】
【０００２】
従来から、入力端子を介して入力されたオーディオ信号を処理するオーディオ信号処理装置が知られている。例えば、特許文献１には、音源入力端子から入力されるアナログの音声信号に対して処理を施して出力する音量可変装置が開示されている。これは、入力されたアナログの音声信号をデジタル信号に変換し、当該デジタル信号に加工を施した後、再度、アナログ信号に変換して出力する装置である。出力する音声の音量は、出力されるアナログ信号を電子ボリュームと呼ばれる専用のＩＣで多段階に減衰したり、デジタルまたはアナログの信号をデジタル−アナログ変換器の前後に設けられた減衰器で減衰することで調整している。かかる手法によれば、デジタル−アナログ変換器で発生するノイズの影響を低減することができ、より高品質な音声信号を出力できる。
【０００３】
ところで、オーディオ信号処理装置の中には、入力信号のピークレベル、すなわち入力レベルを調整する手段を備えているものがある。特に、業務用として用いられるオーディオ信号処理装置ではレベル調整されていないオーディオ信号が入力されることが多いため、入力レベル調整手段を備えていることが多い。さらに、今日の市場では、アナログ信号およびデジタル信号の両方の入力が可能なオーディオ信号処理装置がある。かかるオーディオ信号処理装置の中には、アナログ入力レベルと、デジタル入力レベルの両方が設定可能なものも少ないながら存在する。
【０００４】
【特許文献１】特開平９−１５３７４８号公報
【発明の開示】
【発明が解決しようとする課題】
【０００５】
しかし、従来ある装置は、いずれも、アナログ入力レベルとデジタル入力レベルとを、それぞれに対応した操作子で操作して設定する。すなわち、ユーザは、アナログ入力レベルとデジタル入力レベルとを異なる操作で設定しなければならない。これは、ユーザにとって煩雑であった。また、アナログ入力レベルを設定する際にデジタル入力レベルに対応した操作子を操作する、などのような誤操作が生じやすかった。さらに、操作子の数増加は、コスト増加や、操作パネルの大型化などを招いていた。
【０００６】
そこで、本発明では、入力信号種類を意識することなく、簡易に入力レベルを設定できるオーディオ信号処理装置を提供することを目的とする。
【課題を解決するための手段】
【０００７】
本発明のオーディオ信号処理装置は、デジタル信号およびアナログ信号の両方が入力可能なオーディオ信号処理装置であって、デジタル信号の入力レベルを設定するデジタル設定モードと、アナログ信号の入力レベルを設定するアナログ設定モードと、を切り替えるモード切替手段と、ユーザが操作した操作量に応じた値を出力する操作子と、操作子からの出力に応じて、選択されているモードに対応した入力レベルを設定する入力レベル設定手段と、選択されているモードに対応する入力レベルの設定画面を表示する表示手段と、を有することを特徴とする。
【０００８】
好適な態様では、アナログ入力レベルの設定可能範囲とデジタル入力レベルの設定可能範囲は、互いに異なる。この場合、デジタル入力レベルの設定可能範囲およびアナログ入力レベルの設定可能範囲のそれぞれに対応する操作子の操作量は、ほぼ同じであることが望ましい。また、表示手段は、入力レベルの設定状況を示すインジケータを表示し、インジケータは、アナログモードおよびデジタルモードのいずれの場合でも同じ大きさとなるように、選択されているモードに対応する設定可能範囲に応じて目盛りが調整されていることが望ましい。
【０００９】
他の好適な態様では、操作子は、ユーザが操作した操作量に応じた値をデジタル値で出力する。この場合、さらに、外部から入力されたアナログ信号を、設定された入力レベルに応じて増幅するアナログ信号増幅手段を有し、アナログ信号増幅手段は、デジタル値で与えられる増幅率に基づいて、アナログ信号を増幅するデジタル制御アナログ増幅装置であることが望ましい。
【発明の効果】
【００１０】
本発明によれば、同一の操作子でアナログ入力レベル、デジタル入力レベルを設定できる。そのため、ユーザは、入力信号の種類を意識することなく、簡易に入力レベルを設定できる。
【発明を実施するための最良の形態】
【００１１】
以下、本発明の実施形態を図面を参照して説明する。図１は、本発明の実施形態であるオーディオディスクレコーダ１０の正面図である。また、図２は、オーディオディスクレコーダ１０の概略構成を示すブロック図である。
【００１２】
このオーディオディスクレコーダ１０は、外部から入力されたデジタルまたはアナログのオーディオ信号に所定の処理を施し、記録媒体である光ディスク１００に記録するものである。オーディオディスクレコーダ１０の背面には、複数の入力端子７６，７８が設けられており、この入力端子７６，７８を介してオーディオ信号が入力される。入力されたオーディオ信号は、信号種類（デジタルまたはアナログ）に応じてレベル調整された後、光ディスク装置７４に入力され、光ディスク１００に記録される。オーディオディスクレコーダ１０の主制御部７０にはＲＡＭ９６が設けられており、このＲＡＭ９６にはデジタル信号およびアナログ信号それぞれの入力レベルが記憶されている。この二種類の入力レベルは、ユーザにより設定される。ユーザは、表示部２４に表示された設定画面を見ながら、操作パネル１２に設けられたジョグダイヤル２２を操作して入力レベルを設定する。以下、このオーディオディスクレコーダ１０について詳説する。
【００１３】
オーディオディスクレコーダ１０の前面には、ディスク入出口１４と、操作パネル１２が設けられている。ディスク入出口１４は、光ディスク１００をクランプするディスクトレイ（図示せず）の入出口である。このディスク入出口１４は通常はカバーで覆われているが、ディスク入出口１４の左側に設けられた取出しボタン１６を押下することによりディスクトレイがディスク入出口１４から出てくるようになっている。ユーザは、適宜、出てきたディスクトレイに光ディスク１００を装填、または、離脱する。
【００１４】
操作パネル１２は、ユーザインターフェースとして機能するもので、複数の操作子１６〜２２と表示部２４とを備える。ユーザは、適宜、これら複数の操作子１６〜２２を操作してオーディオディスクレコーダ１０を操作する。複数の操作子１６〜２２のうち、入力レベル設定に関係する操作子として、モード切替スイッチ１８、インプットレベルスイッチ２０（以下、「ＩＬスイッチ」という）、およびジョグダイヤル２２がある。
【００１５】
モード切替スイッチ１８は、オーディオディスクレコーダ１０のモードを切り替えるための押下式操作子である。モードは、入力されるオーディオ信号の種類に基づいて決定される。すなわち、後述するように、入力されるオーディオ信号がデジタルかアナログかにより各種処理が異なってくる。そこで、このモード切替スイッチ１８を設け、適宜、モードを変更、換言すれば、入力されるオーディオ信号の種類を変更できるようになっている。モードは、このモード切替スイッチ１８を押下する度に切り替えられるようになっている。例えば、アナログモードの状態で、モード切替スイッチ１８を一回押下すれば、デジタルモードに切り替わる。さらに、その状態で、もう一度モード切替スイッチ１８を押下すればアナログモードに切り替わる。選択されたモードは、表示部２４に表示される。なお、本実施形態では、モード切替スイッチ１８の押下によりモード切替を行っているが、当然、他の操作子、および、操作手順でモードを切り替えるようにしてもよい。
【００１６】
ＩＬスイッチ２０は、入力レベル設定を行う際に押下される押下式操作子である。このＩＬスイッチ２０を押下した場合、押下信号が主制御部７０に出力される。押下信号を受けた主制御部７０は、表示部２４に対して入力レベル設定画面の表示を指示する。入力レベル設定画面は、後に詳説するが、入力されるオーディオ信号のレベル等を設定するための画面である。入力レベル設定画面はアナログ用とデジタル用の二種類があり、主制御部７０は現在選択されているモードに応じてどちらを表示するかを表示部２４に指示する。つまり、ユーザは、入力信号種類に対応したモード設定さえすれば、その後は、アナログまたはデジタルを意識しなくても、入力信号種類に対応した入力レベル設定画面を簡易に呼び出せる。
【００１７】
ジョグダイヤル２２は、回転操作可能な操作子である。このジョグダイヤル２２の内部には、ロータリーエンコーダ（図示せず）が設けられており、その回転量および回転方向が検出可能となっている。検出された回転量は、パルス信号として主制御部７０に出力される。また、回転方向を示す信号も方向信号として主制御部７０に出力される。
【００１８】
このジョグダイヤル２２は、入力されるオーディオ信号の入力レベルの設定に用いられる。具体的には、入力レベル設定画面が表示された状態で、当該ジョグダイヤルを操作すれば、その回転量および回転方向に応じて入力レベルの設定値が増減される。したがって、ユーザは、入力レベルを設定する場合、表示部２４に表示された設定値を見ながら所望の入力レベルとなるまで当該ジョグダイヤル２２を操作すればよい。
【００１９】
ここで、このジョグダイヤル２２は、アナログ用入力レベル、デジタル用入力レベルのいずれの設定でも用いられる。すなわち、本実施形態では記述したように、入力信号種類に応じてアナログモードまたはデジタルモードが選択されている。そして、選択されたモードに応じた入力レベル設定画面が表示される。この状態でジョグダイヤル２２を操作した場合、ジョグダイヤル２２から出力されたパルス信号および回転信号は、選択されているモードに対応した入力レベル値の増減量として取り扱われる。例えば、アナログモードが選択され、アナログ用の入力レベル設定画面が表示されている状態で、ジョグダイヤルを回転操作すると、その回転量および回転方向に応じてアナログ用の入力レベル値が増減される。逆にデジタルモード選択時にジョグダイヤル２２を操作すれば、その回転量および回転方向はデジタル用の入力レベル値増減に用いられる。つまり、ユーザは、アナログ用入力レベル、デジタル用入力レベルのいずれも、同じ操作子を同じように操作することにより設定できる。これにより、ユーザは、入力信号種類の違いを意識することなく、簡易に入力レベルを設定できる。また、従来、デジタルおよびアナログの両方が入力可能な装置では入力レベル設定用の操作子として二種類の操作子、すなわち、デジタル用入力レベル設定用の操作子およびアナログ用入力レベル設定用の操作子を設けていた。この場合、アナログ用入力レベルを設定する際に誤ってデジタル用の操作子を操作するといった誤操作が生じやすかった。これに対し、本実施形態では、同一の操作子でデジタル、アナログ両方の入力レベル設定ができるため、誤操作を防止できる。
【００２０】
表示部２４は、操作状況や、設定内容を表示するもので、例えば、ＬＣＤなどから構成される。この表示部２４での表示内容は、主制御部７０により制御される。記述した入力レベル設定画面もこの表示部２４に表示される。また、この表示部２４には、現在、選択されているモードや、装填されている光ディスクのディスク種類なども表示される。
【００２１】
主制御部７０は、オーディオディスクレコーダ１０の全体を制御するもので、キーコントローラマイコン９４とＲＡＭ９６とを備えている。キーコントローラマイコン９４は、操作子から出力される信号に基づいて各種の処理を実行する周知のマイコンである。また、キーコントローラマイコン９４は、現在選択されているモードの種類を記憶しており、そのモードに応じた処理を実行する。すなわち、モード切替スイッチからモード切替信号が入力されれば、現在記憶しているモードの種類を他方のモードに書き換える。そして、以後は、新たに記憶したモードに応じた処理を実行する。また、ＩＬスイッチ２０の押下信号が入力されれば、表示部２４に対して入力レベル設定画面の表示を指示する。ここで、表示される入力レベル設定画面は、現在選択されているモードに応じた画面である。入力レベル設定画面が表示されている状態でジョグダイヤル２２が回転操作されれば、その回転量および回転方向を入力レベル設定画面に反映させる。また、最終的に設定された入力レベルは、ＲＡＭに記憶される。
【００２２】
また、このキーコントローラマイコン９４は、選択されているモードに応じて、信号増幅率の指示や、信号経路に設けられたスイッチ８６，８８の切替を行う。具体的には、アナログモードが選択されている場合は、アナログ用に設定された信号増幅率を、後述する電子ボリューム８０に出力する。また、信号経路に設けられた二つのスイッチ８６，８８をアナログ用接点８６Ａ，８８Ａ（図２における「Ａ」接点）に切り替える。一方、デジタルモードに設定されている場合は、デジタル用に設定された信号増幅率をデジタルフェーダ９０に指示するとともに、二つのスイッチ８６，８８をデジタル用接点８６Ｄ，８８Ｄ（図２における「Ｄ」接点）に切り替える。ここで、出力されるデジタル用信号増幅率およびアナログ用信号増幅率は、ＲＡＭ９６に記憶されたそれぞれの入力レベル設定値に基づいて決定される。
【００２３】
ＲＡＭ９６は、一時記憶手段として機能するもので、デジタルモード、アナログモードそれぞれの入力レベル９７Ｄ，９７Ａが記憶されている。記憶された入力レベルは、入力されたオーディオ信号の増幅時に参照される。なお、このＲＡＭ９６は不揮発性であり、電源を切った後も設定された入力レベルを記憶している。
【００２４】
オーディオディスクレコーダ１０の背面には、外部から信号を入力するための入力端子７６，７８が設けられている。入力端子としては、アナログ信号を入力するためのアナログ入力端子７６と、デジタル信号を入力するためのデジタル入力端子７８と、の二種類が設けられている。
【００２５】
アナログ入力端子７６から入力されたアナログ信号は、電子ボリューム８０に送られ、設定されたアナログ用の入力レベルに応じて増幅される。電子ボリューム８０は、アナログ信号の増幅率をデジタルデータで制御できるＩＣである。従来、磁気テープを用いるオーディオテープデッキなどにおいて、入力されるアナログ信号のレベル調整には、可変抵抗器が広く用いられていた。装置内部の信号線の配線処理は、電源回路から発生する５０Ｈｚ程度の低周波ノイズを避ける程度で済んでいたので、装置の背面パネルに設けられる力端子から装置の前面パネルに設けられる可変抵抗器まで信号線を配線してもあまり問題はなかった。
【００２６】
しかし、本実施形態にかかるオーディオディスクレコーダ１０は、デジタル信号を記録再生する装置であり、アナログ信号は入力レベルを調整した後、Ａ／Ｄ変換させなければならない。オーディオディスクレコーダ１０は、デジタルデータを取り扱う装置である。周知のように、デジタル信号は、アナログ信号にとってノイズそのものである。このような装置に、従来のアナログテープデッキで用いていたような、可変抵抗器を前面パネルに設けて、そこにアナログ信号が通過する線を配線させると、その信号線はデジタル信号やスイッチング電源のスイッチングノイズの影響を受けるので、信号品質が極端に悪化する。よって、アナログ信号の状態で音量を可変させる手段を、装置の前面パネルに設けることはできない。
【００２７】
そこで、本発明にかかる装置は、背面パネルに設けられているアナログ入力端子７６の近傍に電子ボリューム８０を配置し、電子ボリューム８０を調整するデジタルデータを前面パネルから与えて操作する、という構成を採用した。本実施形態にかかるオーディオディスクレコーダ１０は、アナログ信号処理回路部をノイズ発生源であるデジタル回路部や電源回路から遠ざけているので、信号品質を落とすことなく、前面パネルからアナログ信号入力レベル調節を実現できる。なお、電子ボリューム８０の制御信号をデジタル信号に変えて、アナログ制御信号として与える構成であってもよい。また、アナログのオーディオ信号をデジタル信号に変換した後、後述するデジタルフェーダ９０で増幅してもよい。この場合、量子化雑音や歪みに起因する信号品質の劣化が生じるが低コストで実現できる。
【００２８】
アナログのオーディオ信号は、電子ボリューム８０でレベル調整された後、Ａ／Ｄコンバータ８２でデジタル信号に変換される。そして、ＤＳＰ７２の信号処理部で所定の信号処理、例えば、イコライジング等が施される。このとき、ＤＳＰ７２に入力されたアナログソースのオーディオ信号がデジタルフェーダ９０を通過しないように、ＤＳＰ７２内のスイッチ８８はアナログ用接点８８Ａに切り替えられている。
【００２９】
ＤＳＰ７２から出力されたオーディオ信号は、光ディスク装置７４に入力される。光ディスク装置７４は、ＤＳＰ７２から出力されたオーディオ信号を光ディスク１００に記録するためのディスクドライブである。これは周知のＤＶＤドライブやＣＤドライブ、コンボドライブを用いることができる。この光ディスク装置７４は、光ディスク１００にレーザ光を照射する光ピックアップ９８や、光ピックアップ９８を駆動するための駆動回路（図示せず）などから構成されている。本実施形態の光ディスク装置７４は、各種光メディア、例えば、ＣＤ−Ｒ／ＲＷ，ＤＶＤ±Ｒ／ＲＷ，ＤＶＤ−ＲＡＭなどが取り扱い可能となっている。また、記録に際しては、Ｍｉｃｒｏｓｏｆｔ社のＷｉｎｄｏｗｓ（登録商標）において標準的に採用されているｗａｖファイル形式などでデジタルオーディオ信号を記録する。
【００３０】
一方、デジタル信号がデジタル入力端子７８を介して入力された場合、キーコントローラマイコン９４は、二種類のスイッチ８６，８８をデジタル用接点８６Ｄ，８８Ｄに切り替える。入力されたデジタル信号は、デジタルインターフェース８４によって所定の信号形式に整えられた後、ＤＳＰ７２に入力される。そして、ＤＳＰ内に設けられたデジタルフェーダ９０により増幅処理が行われる。このときの増幅率は、ＲＡＭ９６に記憶されたデジタル用の入力レベル９７Ｄに基づいて決定される。増幅されたデジタル信号は、所定の信号処理が施された後、光ディスク装置７４に出力される。そして、光ディスク装置７４によって光ディスク１００に記録される。
【００３１】
次に、入力レベルの設定についてより詳細に説明する。記述したように入力レベルは、ＩＬスイッチ２０を押下して入力レベル設定画面を表示し、その状態でジョグダイヤル２２を操作することにより設定できる。ＩＬスイッチ２０を押下した際に表示される入力レベル設定画面は、その際選択されているモードによって異なる。この入力レベル設定画面について図３を用いて説明する。図３（ａ）はデジタルモードでの入力レベル設定画面３０の一例であり、図３（ｂ）はアナログモードでの入力レベル設定画面５０の一例である。
【００３２】
入力レベル設定画面３０，５０には、モード情報３２，５２や、ディスク情報３９，５９などの基本情報のほかに、入力レベルインジケータ３４，５４、バランスインジケータ３５，５５、バイパスインジケータ３６，５６、および、設定値表示３８，５８が表示される。モード情報３２，５２は、画面左上に表示されており、現在選択されているモードの種類が示されている。すなわち、デジタルモードが選択されている場合には「ＤＩＧＩＴＡＬ」が、アナログモード選択時には「ＡＮＡＬＯＧ」という文字列が表示される。ユーザは、この文字列を見ることにより現在選択されているモード、換言すれば、これから設定する入力レベルの種類を認識することができる。
【００３３】
ディスク情報３９，５９は、画面右上に表示され、現在装填されている光ディスクの種類および状態を表示する。また、その光ディスクの状態、例えば、既に、何らかのデータが記録されているのか、あるいは、初期状態（ＢＬＡＮＫ）なのか、なども表示される。このモード情報３２，５２およびディスク情報３９，５９は基本情報として、入力レベル設定画面３０，５０に限らず、表示部２４に表示される全ての画面に表示される。
【００３４】
一方、三種類のインジケータ３４〜３６，５４〜５６および設定値表示３８，５８は、入力レベル設定画面３０，５０でのみ表示される。この四つの表示要素は、デジタル、アナログのいずれの入力レベル設定画面でも、ほぼ同じレイアウトで表示される。すなわち、設定値表示３８，５８は画面左下に、その右側に入力レベルインジケータ３４，５４が、さらにその右側にバランスインジケータ３５，５５が、さらにその右側にバイパスインジケータ３６，５６が表示されている。このように、アナログモード、デジタルモードのいずれの場合であっても、ほぼ同様のレイアウトで表示することにより、モードの違いによるユーザの違和感を低減し、より快適に入力レベル等を設定することができる。ユーザは、操作パネルに設けられた矢印ボタン（図示せず）を用いて、入力レベル、入力バランス、バイパスレベルのうち選択したいパラメータのインジケータを選択する。選択されたインジケータは、反転表示される。図３は、入力レベルインジケータ３４，５４が選択された状態である。
【００３５】
入力レベルインジケータ３４，５４は、入力レベルの設定状況を示すインジケータである。これについて図４を用いて、より詳細に説明する。図４（ａ）はデジタルモードで表示される入力レベルインジケータ３４、図４（ｂ）はアナログモードで表示される入力レベルインジケータ５４の模式図である。
【００３６】
入力レベルインジケータ３４，５４は、入力レベルの設定可能範囲を円弧４２，６２で、現在の設定値を指示針４０，６０で示している。また、設定可能範囲を示す円弧４２，６２には目盛り線４４〜４６，６４〜６６が付されている。なお、図４では分かりやすさのために目盛り線の近傍に数値を記載しているが、実際の設定画面に数値は付されていない（図３参照）。円弧４２，６２の起点には入力レベルの最小値を示す目盛り線４４，６４が、円弧４２，６２の終点には最大値を示す目盛り線４６，６６が付されている。さらに、円弧４２，６２の途中には基準レベル（本実施形態では０ｄＢ）を示す目盛り線４８，６８が付されている。
【００３７】
ここで、デジタルの入力信号とアナログの入力信号とでは、適切な入力レベル範囲が異なる。通常、デジタル信号のレベルは、ある程度の範囲に収まっている。したがって、入力レベルも、ある程度の範囲に限定しても問題はない。これに対し、アナログ信号は、自然界に存在する全ての音声が対象となるため、その範囲を限定することは困難である。そこで、本実施形態では、入力レベルの設定可能範囲をデジタルモードでは−１０〜＋１０に、アナログモードでは−無限大（∞）〜＋１２ｄＢに設定している。この範囲は、現在、市場に流通する一般的なオーディオ信号処理装置に準拠した値である。ただし、当然ながら、他の範囲であってもよく、場合によっては、デジタルとアナログとで同一の設定範囲を用いてもよい。
【００３８】
本実施形態ではユーザの違和感を低減するために、デジタルとアナログとで、同じ大きさのインジケータ３４，５０を表示している。一方で、設定可能範囲は、デジタルとアナログとで異なっている。つまり、デジタルモードとアナログモードとで表示される円弧４２，６２が同じ大きさであっても、それが示す範囲が異なる。例えば、デジタルモードでは、円弧４２の起点４４が−１０ｄＢを、終点４６が＋１０ｄＢを示している。アナログモードでは、円弧６２の起点（デジタルモードの円弧４２の起点４４と同位置）が−無限大（∞）を、終点６６が＋１２ｄＢを示している。一方、同じ値を示す基準レベル（０ｄＢ）の目盛り線４８，６８は、デジタルモードの場合はほぼ十二時の位置に、アナログモードの場合はほぼ一時の位置というように、異なる位置に表示される。つまり、本実施形態では、アナログモードとデジタルモードとで、円弧に付される目盛りを調整することにより、いずれのモードでもほぼ同様のレイアウトでインジケータを表示できるようにしている。
【００３９】
指示針４０，６０は、円弧４２，６２の中心から伸びる指針であり、現在の設定値を示している。記述したように、入力レベルの値は、ジョグダイヤル２２を回転操作することにより設定できる。指示針４０，６０は、ジョグダイヤル２２の動きに応じてリニアに動き、現在の設定値を示す。すなわち、ジョグダイヤル２２を右方向に回せば指示針４０，６０も右方向に、ジョグダイヤル２２を左方向に回せば指示針４０，６０も左方向に動く。ユーザは、この指示針の位置、および、後述する設定値表示３８の表示を見て、入力レベルを設定する。
【００４０】
なお、指示針４０，６０は、入力レベルの値の設定の限界を明確に表示する。デジタルモードにおいてジョグダイヤル２２を反時計方向に回転操作させ続けると、指示針４０は、目盛り線４４に到達する。その後、さらにジョグダイヤル２２を同方向に回転操作させても、指示針４０は、回転しない。また、ジョグダイヤル２２を時計方向に回転操作させ続けると、指示針４０は目盛り線４６に到達する。そして、その後、さらにジョグダイヤル２２を同方向に回転操作させても、指示針４０は回転しなくなる。アナログモードにおいてジョグダイヤル２２を反時計方向に回転操作させ続けると、指示針６０は、目盛り線６４に到達する。その後、さらにジョグダイヤル２２を同方向に回転操作させても、指示針６０は、回転しない。また、ジョグダイヤル２２を時計方向に回転操作させ続けると、指示針６０は目盛り線６６に到達する。そして、その後、さらにジョグダイヤル２２を同方向に回転操作させても、指示針６０は回転しなくなる。
【００４１】
ユーザは、入力レベルインジケータ３４，５４の指示針４０，６０が回転しなくなることを目視で確認することにより、レベル設定の限界に到達したことを認識できる。ジョグダイヤル２２は無限の回転操作体であるが、入力レベルの設定範囲は有限であるので、入力レベルインジケータ３４，５４の存在はユーザにとって有用である。
【００４２】
ここで、ジョグダイヤル２２の操作量に対する指示針４０，６０の移動量は、デジタルモードとアナログモードのいずれの場合でもほぼ同じになっている。本実施形態では、デジタルモード、アナログモードのいずれの場合でも、ジョグダイヤル２２を約二回転半させると、指示針４０，６０を最小値（円弧の起点）から最大値（円弧の終点）まで移動させることができる。このように、アナログモードとデジタルモードとで、ジョグダイヤル２２の操作量に対する指示針４０，６０の移動量をほぼ同じにすることで、アナログモードとデジタルモードでの操作感をほぼ同じにできる。これにより、ユーザは、モードの違い、換言すれば入力信号種類の違いを意識することなく、快適に入力レベルを設定できる。
【００４３】
再び、図３を参照して、他の表示要素について説明する。バランスインジケータ３５，５５は、入力バランスの設定状況を示すインジケータである。入力バランスは、操作パネルに設けられた矢印ボタンを操作してバランスインジケータ３５，５５を選択し、その状態でジョグダイヤル２２を操作することにより設定できる。バランスインジケータ３５，５５も、入力レベルインジケータ３４，５４と同様に、設定可能範囲を示す円弧と、現在の設定値を示す指示針から構成されている（詳細図は省略）。そして、ジョグダイヤル２２の動きに応じて指示針が移動するようになっている。また、円弧の十二時の位置には基準バランスを示す目盛り線が付されている。ここで、入力バランスの設定可能範囲は、アナログモードとデジタルモードとで同じである。したがって、入力バランスの基準バランスを示す目盛り線も、アナログモードとデジタルモードとで同じ位置に表示される。
【００４４】
バイパスインジケータ３６，５６は、レベル設定をバイパス、すなわち、信号経路上のレベル設定手段を迂回して、レベル設定を固定化しているか否かを占めるインジケータである。これは、アナログモード、デジタルモードの両方共に０ｄＢである。バイパス設定は、操作パネルに設けられた矢印ボタンを操作してバイパスインジケータ３６，５６を選択し、その状態でジョグダイヤル２２を操作することにより設定できる。ここで、ジョグダイヤル２２はオン／オフスイッチとして機能し、時計方向に回すとオン、反時計方向に回すとオフになる。バイパス設定が有効になると、電子ボリューム８０のレベル設定が０ｄＢとなると共にスイッチ８８はアナログ用接点８８Ａに切り替わり、入力信号のレベル変化させることなく受け入れる。
【００４５】
設定値表示３８，５８は、現在選択されている設定要素の設定値を数値で表示する。すなわち、入力レベルインジケータ３４，５４が選択されている場合は入力レベルの設定値を、バランスインジケータ３５，５５が選択されている場合は入力バランスの設定値を数値で表示する。このように、設定値を数値で示すことにより、より正確な設定値を知ることができる。
【００４６】
各設定要素の設定が終了すれば、再度、ＩＬスイッチ２０を押下することにより、設定が終了となる。そして、表示部２４には、入力レベル設定画面に代えて、通常画面が表示される。また、設定された値は主制御部７０に設けられたＲＡＭ９６に記憶される。ＲＡＭ９０には、アナログ用、デジタル用、それぞれの入力レベル９７Ｄ，９７Ａが記憶される。
【００４７】
以上の説明から明らかなように、本実施形態では、デジタル用入力レベルとアナログ用入力レベルとをほぼ同様の操作で設定できる。これにより、ユーザは、モードの違いを意識することなく簡易に入力レベルを設定できる。
【００４８】
なお、本実施形態では、入力レベル設定のための操作子としてジョグダイヤル２２を用いているが当然、他の操作子、例えば、トラックボールやタッチセンサなどを用いてもよい。また、単一の操作子でレベル値設定を行っているが、アナログモードとデジタルモードとで同様の操作となるのであれば、二以上の操作子を用いて入力レベルを設定してもよい。例えば、操作パネルに、上向矢印ボタンと下向矢印ボタンとを設け、この二つのボタンを用いてアナログ用、デジタル用、両方の入力レベルを設定するようにしてもよい。
【００４９】
また、表示部２４に設定される入力レベルインジケータは一例であり、設定状況が確認できるのであれば、当然、他の表示内容でもよい。例えば、目盛りが付された直線分で設定範囲を示し、直線分上の指示針で設定値を示すようにしてもよい。また、本実施形態では、設定状況をアナログ的表示（インジケータ）とデジタル的表示（設定値表示）の二種類で示しているが、いずれか一方のみであってもよい。ただし、いずれの場合であっても、アナログモードおよびデジタルモードでほぼ同様のレイアウトとなることが望ましい。
【図面の簡単な説明】
【００５０】
【図１】本発明の実施形態であるオーディオディスクレコーダの正面図である。
【図２】オーディオディスクレコーダの概略構成を示すブロック図である。
【図３】（ａ）はデジタルモードでの入力レベル設定画面であり、（ｂ）はアナログモードでの入力レベル設定画面である。
【図４】（ａ）はデジタルモードでの入力レベルインジケータの概略図であり、（ｂ）はアナログモードでの入力レベルインジケータの概略図である。
【符号の説明】
【００５１】
１０  オーディオディスクレコーダ、１２  操作パネル、１８  モード切替スイッチ、２０  インプットレベルスイッチ、２２  ジョグダイヤル、２４  表示部、３０，５０  入力レベル設定画面、３４，５４  入力レベルインジケータ、３５，５５  バランスインジケータ、３６，５６  バイパスインジケータ、３８，５８  設定値表示、７０  主制御部、７４  光ディスク装置、７６  アナログ入力端子、７８  デジタル入力端子、８０  電子ボリューム、９０  デジタルフェーダ、９４  キーコントローラマイコン、９７Ｄ，９７Ａ  入力レベル、９８  光ピックアップ、１００  光ディスク。
【図１】
2006128778.tif 000003
【図２】
2006128778.tif 000004
【図３】
2006128778.tif 000005
【図４】
2006128778.tif 000006